(57)【要約】【課題】従来の手法では画像を改竄することが可能である。そのため、証書類の作成・編集等を行なった日付を正確に管理することができなかった。また、原本データとして保管された画像ファイルが原本であるのかを管理することも困難であった。【解決手段】画像に電子透かしを埋め込む電子透かし埋込装置において、画像に記された日付を用いて電子透かしを生成し、それを画像に埋め込む、または画像が作成された日付または編集された日付、保存された日付、記された日付のいずれかを用いて電子透かしを生成し、それを画像に埋め込む。【選択図】　　　図４
2004040179.tif 000002
【特許請求の範囲】
【請求項１】
画像に電子透かしを埋め込む電子透かし埋込装置において、
画像に記された日付を用いて電子透かしを生成し、それを画像に埋め込むことを特徴とする電子透かし埋込装置。
【請求項２】
画像に電子透かしを埋め込む電子透かし埋込装置において、
画像が作成された日付または編集された日付、保存された日付のいずれかを用いて電子透かしを生成し、それを画像に埋め込むことを特徴とする電子透かし埋込装置。
【請求項３】
前記電子透かしを、画像に記された日付にかかるように埋め込むことを特徴とする請求項１または２に記載の電子透かし埋込装置。
【請求項４】
画像に記された日付を隠蔽し、
前記電子透かしを隠蔽の前の画像または後の画像に埋め込むことを特徴とする請求項１または２に記載の電子透かし埋込装置。
【請求項５】
前記電子透かしを、任意に特定された領域に埋め込むことを特徴とする請求項１〜４のいずれか１項に記載の電子透かし埋込装置。
【請求項６】
前記電子透かしを、改竄されると破壊されやすいフラジャイル方式またはセミフラジャイル方式によって生成することを特徴とする請求項１〜５のいずれか１項に記載の電子透かし埋込装置。
【請求項７】
画像に埋め込まれた電子透かしを検出する電子透かし検出装置において、
請求項６に記載の電子透かし埋込装置によって画像に埋め込まれた前記電子透かしが破壊されている場合に、利用者にアラームを発して知らせることを特徴とする電子透かし検出装置。
【請求項８】
画像に埋め込まれた電子透かしを検出する電子透かし検出装置において、
画像に埋め込まれた電子透かしから日付情報を抽出し、日付情報を、画像に記された日付またはメッセージデータに含まれる日付または電子透かしに含まれるチェックコードと比較することを特徴とする電子透かし検出装置。
【発明の詳細な説明】
【０００１】
【発明の属する技術分野】
本発明は、画像に電子透かしを埋め込む電子透かし埋込装置及び画像に埋め込まれた電子透かしを検出する電子透かし検出装置に関する。
【０００２】
【従来の技術】
例えば金融機関や証券会社、保険組合等では、発行する証書類の画像をスキャナ等の入力手段で取り込み、取り込んだ証書類の画像データを原本データとしてホストコンピュータ等の管理装置に保存させている。
【０００３】
ここでは、原本データの管理は、証書類が作成された日付や編集された日付等により行なうのが一般的であり、発行する証書類に日付を印刷したりタイムスタンプを押捺したり、原本データに日付（時刻を含めてもよい）情報を関連付けて保管する等している。なお、証書類が発行された日付は、証書類が作成された日付に含まれるものとして説明する。
【０００４】
【発明が解決しようとする課題】
しかしながら、このような従来手法では画像を改竄することが可能である。そのため、証書類の作成・編集等を行なった日付を正確に管理することができなかった。
【０００５】
また、原本データとして保管された画像データが原本であるのかを管理することも困難であった。
【０００６】
【課題を解決するための手段】
上記課題を解決するために第１の発明に係る電子透かし埋込装置は、画像に記された日付を用いて電子透かしを生成し、それを画像に埋め込むことを特徴とする。
【０００７】
また、第２の発明に係る電子透かし埋込装置は、画像が作成された日付または編集された日付、ファイル保存された日付のいずれかを用いて電子透かしを生成し、それを画像に埋め込むことを特徴とする。
【０００８】
第３の発明に係る電子透かし埋込装置は、第１または第２の発明に加え、前記電子透かしを、画像に記された日付にかかるように埋め込むことを特徴とする。
【０００９】
第４の発明に係る電子透かし埋込装置は、第１または第２の発明に加え、画像に記された日付を隠蔽し、前記電子透かしを隠蔽の前の画像または後の画像に埋め込むことを特徴とする。
【００１０】
第５の発明に係る電子透かし埋込装置は、第１〜４のいずれかの発明に加え、前記電子透かしを、任意に特定された領域に埋め込むことを特徴とする。
【００１１】
第６の発明に係る電子透かし埋込装置は、第１〜５のいずれかの発明に加え、前記電子透かしを、改竄されると破壊されやすいフラジャイル方式またはセミフラジャイル方式によって生成することを特徴とする。
【００１２】
第７の発明に係る電子透かし検出装置は、第６の発明に係る電子透かし埋込装置によって画像に埋め込まれた前記電子透かしが破壊されている場合に、利用者にアラームを発して知らせることを特徴とする。
【００１３】
第８の発明に係る電子透かし検出装置は、画像に埋め込まれた電子透かしから日付情報を抽出し、日付情報を、画像に記された日付またはメッセージデータに含まれる日付または電子透かしに含まれるチェックコードと比較することを特徴とする。
【００１４】
【発明の実施の形態】
本発明に係る電子透かし埋込装置は、画像に記された日付を用いて電子透かしを生成し、それを画像に埋め込む、または、画像が作成された日付または編集された日付、保存された日付のいずれかを用いて電子透かしを生成し、それを画像に埋め込むことを特徴とする。
【００１５】
また、本発明に係る電子透かし検出装置は、本発明に係る電子透かし埋込装置が生成した電子透かしが破壊されている場合に、利用者にアラームを発して知らせる、または、画像に埋め込まれた電子透かしから日付情報を抽出し、日付情報を、画像に記された日付またはメッセージデータに含まれる日付または電子透かしに含まれるチェックコードと比較することを特徴とする。なお、メッセージデータは、画像データに関する各種の情報（例えば画像の様式、電子透かし方式、電子透かし鍵、圧縮方式、暗号化方式、復号化鍵等）を含み、画像データに添付されている。
【００１６】
なお、本発明は、以下に説明する実施の形態に限定されることなく、本発明の要旨を逸脱しない範囲で種々の応用及び変形が考えられる。
【００１７】
以下、図面を参照して本発明の実施の形態を説明する。なお、各図はこの発明を理解できる程度に概略的に示してあるにすぎない。また、各図において、共通する要素については、同一の符号を付し、説明を省略する。
【００１８】
＜第１の実施の形態＞
図１は本発明に係る電子透かし埋込装置の構成を示す図であり、図２は本発明に係る電子透かし検出装置の構成を示す図である。なお、電子透かし埋込装置と電子透かし検出装置は統合して１つの装置にすることも可能である。
【００１９】
図１に示す電子透かし埋込装置１は、画像入力部１１、画像メモリ１３、電子透かし埋込部１５、出力部１７、表示部１９、画像編集部２１、入力部２３、制御部２５等を備える。
【００２０】
画像入力部１１は、画像データを装置内に取り入れる。具体的な構成としては、例えばイメージスキャナやＣＣＤカメラ等の撮像手段、または記録媒体（フロッピー（登録商標）ディスクやＣＤ−ＲＯＭ、ＤＶＤ、ＩＣカード等）や記憶装置（ハードディスク等）に格納されたファイルから画像データを読み取る読取手段となる。
【００２１】
画像メモリ１３は、画像入力部１１から入力された画像データや電子透かし埋込部１５で作成された画像データを格納する。
【００２２】
電子透かし埋込部１５は、画像メモリ１３に格納された画像データに電子透かしを埋め込む。なお、本実施の形態では、メッセージデータの画像データへの添付も、ここで行なう。また、このような処理を行なった画像データを、画像メモリ１３に出力し、そこに格納させる。
【００２３】
出力部１７は、画像メモリ１３に格納された画像データを外部に出力する。
【００２４】
表示部１９は、画像メモリ１３に格納された画像データや画像編集部２１によって編集された画像データ、入力部２３から入力された各種情報、外部から取得された各種情報等を表示する。
【００２５】
画像編集部２１は、各種編集（例えば画像データの一部を削除する、隠蔽する、または画像データに新たな画像データを付加する等）を行なう。
【００２６】
入力部２３は、利用者からの各種情報の入力を受け付ける、または外部からの各種情報の入力を受け付ける。具体的な構成としては、例えばキーボードやマウス、Ｉ／Ｏインターフェース等である。
【００２７】
制御部２５は、装置全体の制御を行なう。
【００２８】
図２に示す電子透かし検出装置２は、画像入力部１１、画像メモリ１３、出力部１７、表示部１９、画像編集部２１、入力部２３、制御部２５、電子透かし検出部２７、メッセージデータ格納メモリ２９等を備える。
【００２９】
電子透かし検出部２７は、画像メモリ１３に格納された画像データの電子透かしを検出や検証、メッセージデータの抽出を行なう。
【００３０】
メッセージデータ格納メモリ２９は、電子透かし検出部２７によって抽出されたメッセージデータを格納する。
【００３１】
本実施の形態では、日付情報（時刻を含む場合もある）を用いて電子透かしを生成し、電子透かしを画像に記された日付にかかるように埋め込む。このとき、好適には、例えば、電子透かしが画像に記された日付にかかるように、電子透かしを画像全面に埋め込むのがよい。なお、電子透かしは、例えば暗号化技術を利用して画像を構成する画素の中のいくつかの輝度値やカラーパレットを変更することによって画像に埋め込まれる。電子透かし検出装置２は、電子透かしが埋め込まれた画素を検出することによって、すなわち、変更された画素のパターンを解析することによって、所定の情報を取得することができ、もって、日付情報を読み取る、または、画像の改竄を検出することができる。
【００３２】
以下に、本実施の形態に係る電子透かし埋込装置及び電子透かし検出装置の動作を説明する。
【００３３】
図３は、電子透かし埋め込み及び検出の手順を示すフローチャートである。また、図４は電子透かし埋め込みを示す図であり、図４（Ａ）は画像入力部１１によって取得した画像を示しており、図４（Ｂ）は電子透かしを埋め込んだ画像を示している。なお、本実施の形態では、画像入力部１１が取得した画像を原画像とし、原画像のデータに電子透かしを埋め込んだものを原本データとする。また、ここでは、電子透かし埋込装置１は、画像に記された日付を用いて電子透かしを生成するものとして説明するが、これ以外に各種の日付情報（例えば画像が作成された日付、編集された日付、画像メモリ１３に保存された日付、標準電波から取得した日付、システムの日付等）を用いて電子透かしを生成することも可能である。なお、画像が作成された日付や編集された日付は、入力部２３から利用者によって入力される、または原画像のデータに添付されるメッセージデータに含まれている。
【００３４】
ステップ（以下、Ｓという）１１において、電子透かし埋込装置１の画像入力部１１は、例えば図４（Ａ）に示す原画像４１を取得し、原画像データとして画像メモリ１３に出力し、そこに格納させる。なお、図４（Ａ）中、４３は、原画像４１に記された日付情報を示している。
【００３５】
次に、Ｓ１３において、電子透かし埋込部１５は、日付情報（時刻を含む場合もある）を用いて電子透かしを生成し、図４（Ｂ）に示すように、電子透かしを、原画像４１に記された日付情報４３にかかるように埋め込み、原本データである電子透かし入り原画像４５を生成する。また、日付情報やその他の情報に基づいてメッセージデータを生成して電子透かし入り原画像４５に添付する。添付は、例えばＨＴＭＬ等の形式によってなされる。そして、このような処理を行なった電子透かし入り原画像４５を画像メモリ１３に出力し、そこに格納させる。なお、本実施の形態では、電子透かしに用いる日付情報は、原画像４１に記された日付または原画像４１が作成された日付、編集された日付、保存された日付等のいずれかとする。原画像４１が作成された日付や、編集された日付等は、入力部２３から利用者によって入力される、または電子透かし入り原画像４５に添付されたメッセージデータに含まれている。保存された日付は、原画像４１のデータが画像メモリ１３に保存される際に、これと関連付けられて画像メモリ１３に保存されている。
【００３６】
この後、利用者が入力部２３により電子透かし入り原画像４５に様々な処理を施し、これによって生成された画像データも画像メモリ１３に格納されることになる。なお、図４（Ｂ）中、４７は、原画像４１に記された電子透かし入り日付情報を示している。
【００３７】
Ｓ１５において、入力部２３から入力される利用者からの命令または電子透かし検出装置２からの要求により、出力部１７は、画像メモリ１３に格納された電子透かし入り原画像４５を外部に出力する。
【００３８】
Ｓ３１において、電子透かし検出装置２の入力部２３は、電子透かし埋込装置１から電子透かし入り原画像４５を取得し、画像メモリ１３に出力して、そこに格納させる。
【００３９】
Ｓ３３において、電子透かし検出部２７は、取得した電子透かし入り原画像４５から所定の手順に従って電子透かしを抽出する。ここで、電子透かしが抽出できない場合は、利用者にアラームを発して知らせる（例えば表示部１９に警告を表示させる）。そして、電子透かしの検出処理を終了する。
【００４０】
Ｓ３５において、電子透かし検出部２７は、改竄の有無を検証する。検証は、例えば電子透かしから日付情報を抽出し、日付情報を、原本データである電子透かし入り原画像４５に記された日付またはメッセージデータに含まれる日付または電子透かしに含まれるチェックコードと比較することにより行なう。
【００４１】
改竄がある場合（すなわち、電子透かしから抽出された日付情報が電子透かし入り原画像４５に記された日付またはメッセージデータに含まれる日付または電子透かしに含まれるチェックコードと合致しない場合や、電子透かしが破壊されている場合）は、利用者にアラームを発して知らせる（例えば表示部１９に警告を表示させる）。そして、電子透かしの検出処理を終了する。
【００４２】
改竄がない場合は、電子透かし入り原画像４５からメッセージデータを抽出してメッセージデータ格納メモリ２９に出力し、そこに格納させる。
【００４３】
Ｓ３７において、制御部２５は、メッセージデータ格納メモリ２９から日付情報（時刻を含む場合もある）を取得する。このようにして電子透かし検出装置２は、画像の日付情報（ここでは画像に記された日付）を取得し、これを管理することが可能となる。
【００４４】
また、このとき、電子透かし検出部２７は、電子透かし入り原画像４５に添付されたメッセージデータに基づいて電子透かしを解き、電子透かしを外した原画像４１を取得するようにしてもよい。
【００４５】
本実施の形態は、原画像４１に記された日付情報４３と電子透かしを不可分な状態にした電子透かし入り原画像４５を生成してこれを原本データとするので、原本データの改竄を困難にする。そのため、証書類の作成・編集等を行なった日付を正確に管理することができる。
【００４６】
また、万一、電子透かし入り原画像４５と電子透かしのどちらかが改竄された場合に、電子透かし入り原画像４５に記された日付情報と電子透かしに含まれる日付情報の相違が識別できるので、原本データの改竄の検出を容易にすることができる。そのため、原本データとして保管された画像データが原本であるのかを管理することも容易にできる。
【００４７】
＜第２の実施の形態＞
本実施の形態では、原画像内に存在する個人情報や企業秘密情報を隠蔽するために、原画像の一部を原画像と異なる輝度／色で塗潰す、あるいはモザイクをかけた状態にする。すなわち、本実施の形態では、日付情報を用いて電子透かしを生成する。そして、画像に記された日付を隠蔽し、隠蔽後の画像に電子透かしを埋め込む。または、画像に電子透かしを埋め込み、その画像から画像に記された日付を隠蔽する。
【００４８】
なお、本実施の形態では、電子透かしに用いる日付情報は、画像に記された日付または画像が作成された日付、編集された日付、保存された日付等のいずれかとする。
【００４９】
また、電子透かしは、改竄されると破壊されやすいフラジャイル方式またはセミフラジャイル方式によって生成する。
【００５０】
以下に、本実施の形態に係る電子透かし埋込装置及び電子透かし検出装置の動作を説明する。なお、本実施の形態は、構成においては図１及び図２に示すものと同じである。
【００５１】
図５は、電子透かし埋め込み及び検出の手順を示すフローチャートである。また、図６は電子透かし埋め込み／検出を示す図であり、図６（Ａ）は画像入力部１１によって取得した画像を示しており、図６（Ｂ）は隠蔽処理を施した画像を示しており、図６（Ｃ）は電子透かしを埋め込んだ画像（隠蔽処理済）を示している。
【００５２】
Ｓ５１において、電子透かし埋込装置１の画像入力部１１は、例えば図６（Ａ）に示す原画像４１を取得し、原画像データとして画像メモリ１３に出力し、そこに格納させる。なお、原画像４１に記された日付情報４３は、隠蔽すべき情報となる。
【００５３】
次に、Ｓ５３において、画像編集部２１は、図６（Ｂ）に示すように、原画像４１から日付情報４３を隠蔽（例えば該当の部分を塗りつぶす、または削除する等）して、隠蔽処理済画像４９を生成する。なお、図６（Ｂ）中、５１は、隠蔽された領域の画像（以下、隠蔽領域画像という）を示している。
【００５４】
次に、Ｓ５５において、電子透かし埋込部１５は、日付情報（時刻を含む場合もある）４３や日付情報４３が存在していた位置情報（例えば座標値）を用いて電子透かしを生成して隠蔽処理済画像４９に埋め込み、電子透かし入り隠蔽処理済画像５３を生成する。また、日付情報や位置情報、その他の情報に基づいてメッセージデータを生成して電子透かし入り隠蔽処理済画像５３に添付する。そして、このような処理を行なった電子透かし入り隠蔽処理済画像５３を画像メモリ１３に出力し、そこに格納させる。なお、本実施の形態では、電子透かしに用いる日付情報は、原画像４１に記された日付または原画像４１が作成された日付、編集された日付、保存された日付等のいずれかとする。原画像４１が作成された日付や、編集された日付等は、入力部２３から利用者によって入力される、または電子透かし入り隠蔽処理済画像５３に添付されたメッセージデータに含まれている。保存された日付は、原画像４１のデータが画像メモリ１３に保存される際に、これと関連付けられて画像メモリ１３に保存されている。
【００５５】
この後、利用者が入力部２３により電子透かし入り隠蔽処理済画像５３に様々な処理を施し、これによって生成された画像データも画像メモリ１３に格納されることになる。なお、図６（Ｃ）中、５５は、電子透かし入り隠蔽領域画像を示している。
【００５６】
Ｓ５７において、入力部２３から入力される利用者からの命令または電子透かし検出装置２からの要求により、出力部１７は、画像メモリ１３に格納された電子透かし入り隠蔽処理済画像５３を外部に出力する。
【００５７】
Ｓ７１において、電子透かし検出装置２の入力部２３は、電子透かし埋込装置１から電子透かし入り隠蔽処理済画像５３を取得し、画像メモリ１３に出力して、そこに格納させる。
【００５８】
Ｓ７３において、電子透かし検出部２７は、取得した電子透かし入り隠蔽処理済画像５３から所定の手順に従って電子透かしを抽出する。ここで、電子透かしが抽出できない場合は、利用者にアラームを発して知らせる（例えば表示部１９に警告を表示させる）。そして、電子透かしの検出処理を終了する。
【００５９】
Ｓ７５において、電子透かし検出部２７は、改竄の有無を検証する。検証は、例えば電子透かしから日付情報を抽出し、日付情報を、原本データである電子透かし入り隠蔽処理済画像５３に添付されたメッセージデータに含まれる日付または電子透かしに含まれるチェックコードと比較することにより行なう。
【００６０】
改竄がある場合（すなわち、電子透かしから抽出された日付情報が電子透かし入り隠蔽処理済画像５３に添付されたメッセージデータに含まれる日付または電子透かしに含まれるチェックコードと合致しない場合や、電子透かしが破壊されている場合）は、利用者にアラームを発して知らせる（例えば表示部１９に警告を表示させる）。そして、電子透かしの検出処理を終了する。
【００６１】
改竄がない場合は、電子透かし入り隠蔽処理済画像５３からメッセージデータを抽出してメッセージデータ格納メモリ２９に出力し、そこに格納させる。また、電子透かしを解くことによって、原画像４１に記されていた日付情報４３の画像と日付情報４３の画像が存在していた位置情報（例えば座標値）を取得する。
【００６２】
Ｓ７７において、制御部２５は、メッセージデータ格納メモリ２９から日付情報（時刻を含む場合もある）を取得し、原本データの作成日付を得る。
【００６３】
また、画像編集部２１は、図６（Ｃ）に示す電子透かし入り隠蔽処理済画像５３の電子透かしを外して、図６（Ｂ）に示す隠蔽処理済画像４９を生成する。そして、電子透かし検出部２７によって取得された原画像４１に記されていた日付情報４３の画像を、図６（Ｂ）に示す隠蔽処理済画像４９の隠蔽領域画像５１と差し替え、図６（Ａ）に示す原画像４１を復元する。
【００６４】
本実施の形態は、日付情報４３を不可知な状態にし、電子透かしを解読することのみによって証書類の作成・編集等を行なった日付を識別できないので、日付を正確に管理することができる。また、万一、原本データである電子透かし入り隠蔽処理済画像５３に改竄がなされた場合に、破壊されやすい方式の電子透かしを用いているので、原本データの改竄の検出を容易にすることができる。そのため、原本データとして保管された画像ファイルが原本であるのかを管理することも容易にできる。
【００６５】
＜第３の実施の形態＞
本実施の形態は、第１の実施の形態において取得した電子透かし入り原画像４５（図４（Ｂ）参照）から電子透かし入り日付情報画像４７を隠蔽するものである。
【００６６】
図７は電子透かし埋め込み／検出を示す図である。図７（Ａ）は画像入力部１１によって取得した画像を示しており、図７（Ｂ）は電子透かしを埋め込んだ画像を示しており、図７（Ｃ）は電子透かしを埋め込んだ画像（隠蔽処理済）を示しており、図７（Ａ）及び図７（Ｂ）は図４（Ａ）及び図４（Ｂ）と同じ処理工程を示している。
【００６７】
図７（Ｃ）は、電子透かし入り原画像４５から電子透かし入り日付情報４７を隠蔽して、電子透かし入り隠蔽処理済画像５７を生成することを示している。
【００６８】
隠蔽は、例えば、電子透かし埋込部１５または画像編集部２１が、電子透かし入り日付情報４７を切り出し、その領域を所定の暗号化方式に基づいて暗号化して差し替え用の隠蔽領域画像５９を生成し、それを電子透かし入り日付情報４７と差し替えることにより行なわれる。なお、このとき、電子透かし埋込部１５または画像編集部２１は、隠蔽領域画像５９の差し替え位置を特定する情報や暗号を解く鍵（以下、復号化鍵という）等の情報をメッセージデータに含めて、それを電子透かし入り隠蔽処理済画像５７に添付する。
【００６９】
なお、電子透かし入り隠蔽処理済画像５７から電子透かしを検出する電子透かし検出装置２は、以下の手順で図７（Ｃ）から図７（Ａ）への復元を行なうようにしてもよい。
【００７０】
まず、電子透かし検出部２７が、電子透かし入り隠蔽処理済画像５７に添付されたメッセージデータから隠蔽領域画像５９の差し替え位置を特定する情報と復号化鍵を抽出する。そして、電子透かし入り隠蔽処理済画像５７から隠蔽領域画像５９を抽出し、復号化鍵を用いて隠蔽領域画像５９から電子透かし入り日付情報４７を取得する。そして、電子透かし入り日付情報４７を電子透かし入り隠蔽処理済画像５７の隠蔽領域画像５９と差し替えて、電子透かし入り原画像４５を取得する。
【００７１】
次に、電子透かし検出部２７は、電子透かし入り原画像４５に添付されたメッセージデータに基づいて電子透かしを解き、電子透かしを外した原画像４１を取得する。
【００７２】
本実施の形態は、原画像に電子透かしを入れた後で特定の領域を隠蔽することができる。
【００７３】
＜第４の実施の形態＞
本実施の形態は、電子透かしを、任意に特定された領域に埋め込むものである。
【００７４】
図８は電子透かし埋め込みを示す図であり、図８（Ａ）は画像入力部１１によって取得した画像を示しており、図８（Ｂ）は編集を施した画像を示しており、図８（Ｃ）は電子透かしを埋め込んだ画像を示している。
【００７５】
電子透かし埋込装置１の画像入力部１１は、例えば図８（Ａ）に示す原画像６１を取得し、原画像データとして画像メモリ１３に出力し、そこに格納させる。なお、原画像６１には日付情報が記されておらず、日付情報は電子透かしとして原画像６１に埋め込まれることになる。
【００７６】
次に、画像編集部２１は、原画像６１に電子透かしを埋め込む領域を特定する。特定される領域（以下、特定領域という）は電子透かしが埋め込まれるので、特にセキュリティが高くなる。そこで、特定領域には重要な情報が記されている方が望ましい。図８（Ｂ）に示す例では、原画像６１に印影画像を新たに加え、そこを特定領域として用いる例が示されている。なお、以下、原画像６１に印影画像を加えた画像を編集処理済画像という。また、特定される領域の画像を特定領域画像という。図８（Ｂ）中、６３は編集処理済画像を示しており、６５は特定領域画像を示している。
【００７７】
次に、電子透かし埋込部１５は、日付情報（時刻を含む場合もある）を用いて電子透かしを生成し、図８（Ｃ）に示すように、電子透かしを、特定領域６５に埋め込み、電子透かし入り編集処理済画像６７を生成する。また、日付情報やその他の情報に基づいてメッセージデータを生成して電子透かし入り編集処理済画像６７に添付する。そして、このような処理を行なった電子透かし入り編集処理済画像６７を画像メモリ１３に出力し、そこに格納させる。なお、本実施の形態では、電子透かしに用いる日付情報は、原画像６１が作成された日付、編集された日付、保存された日付等のいずれかとする。原画像６１が作成された日付や、編集された日付等は、入力部２３から利用者によって入力される。保存された日付は、原画像４１のデータが画像メモリ１３に保存される際に、これと関連付けられて画像メモリ１３に保存されている。
【００７８】
この後、利用者が入力部２３により電子透かし入り編集処理済画像６７に様々な処理を施し、これによって生成された画像データも画像メモリ１３に格納されることになる。なお、図８（Ｂ）中、６９は電子透かし入り特定領域画像を示している。
【００７９】
電子透かしの検出は、以下の手順で行なう。
【００８０】
まず、電子透かし検出部２７が、電子透かし入り編集処理済画像６７に添付されたメッセージデータから電子透かし入り特定領域画像６９を特定するとともに、メッセージデータに基づいて電子透かしを解く。このとき、電子透かしを外して編集処理済画像６３を取得するようにしてもよい。
【００８１】
本実施の形態は、電子透かしを、任意に特定された領域に埋め込むことができる。
【００８２】
【発明の効果】
以上説明した本発明には、次の効果がある。
【００８３】
すなわち、証書類を作成・編集等を行なった日付を正確に管理することができる。または、原本データとして保管された画像ファイルが原本であることを容易に管理できる。
【図面の簡単な説明】
【図１】電子透かし埋込装置の構成を示す図である。
【図２】電子透かし検出装置の構成を示す図である。
【図３】電子透かし埋め込み及び検出の手順を示すフローチャートである。
【図４】電子透かし埋め込みを示す図である。
【図５】電子透かし埋め込み及び検出の手順を示すフローチャートである。
【図６】電子透かし埋め込み／検出を示す図である。
【図７】電子透かし埋め込み／検出を示す図である。
【図８】電子透かし埋め込みを示す図である。
【符号の説明】
１　電子透かし埋込装置
１１　画像入力部
１３　画像メモリ
１５　電子透かし埋込部
１７　出力部
１９　表示部
２１　画像編集部
２３　入力部
２５　制御部
２７　電子透かし検出部
２９　メッセージデータ格納メモリ
【図１】
2004040179.tif 000003
【図２】
2004040179.tif 000004
【図３】
2004040179.tif 000005
【図４】
2004040179.tif 000006
【図５】
2004040179.tif 000007
【図６】
2004040179.tif 000008
【図７】
2004040179.tif 000009
【図８】
2004040179.tif 000010